(57)【特許請求の範囲】
【請求項１】
コンデンサ素子を有底筒状の外装ケース内に収納して該外装ケ−スの開放端を封口部材により封口するとともに、前記コンデンサ素子より導出されたリード端子が前記封口部材を貫通して成るコンデンサ本体と、前記リード端子と電気的に接続され、かつ実装基板との接続がなされる接続端子をその下面に沿って有し、前記コンデンサ本体の封口端に当接して配置される絶縁板と、から構成されるチップ形コンデンサであって、前記絶縁板には前記封口部材より露出したリード端子を挿通可能な少なくとも１つの挿通孔が設けられ、前記接続端子には前記絶縁板の下面とほぼ平行方向に延びるスリットが設けられ、前記接続端子の少なくとも前記スリットの形成されているスリット部が、接続端子を挿通孔の内方向に折曲げ配置することにより形成されるとともに、前記挿通孔の内壁に沿った接続端子の折曲げ部が該内壁に当接され、前記スリットに前記リード端子が嵌入されて成ることを特徴とするチップ形コンデンサ。
【請求項２】
前記スリット部が弾性変形可能な金属板にて形成され、前記スリットの離間幅が前記リード端子の直径よりも幅狭に形成されて成る請求項１に記載のチップ形コンデンサ。
【請求項３】
前記各極の接続端子におけるスリットの開口が、前記絶縁板の下面とほぼ平行方向において互いに対向する位置に形成されている請求項１または２に記載のチップ形コンデンサ。
【請求項４】
前記スリット部とスリットに嵌入されたリード端子とが溶接されて成る請求項１〜３のいずれかに記載のチップ形コンデンサ。
【発明の詳細な説明】
【０００１】
【発明の属する技術の分野】
本発明は、プリント基板等に面実装されるチップ形コンデンサ、特には縦型のチップ形コンデンサに関する。
【０００２】
【従来の技術】
従来において、これら縦型のチップ形コンデンサとしては、特開昭５９−２１１０１１号等に提案されているように、コンデンサ本体に絶縁板を装着することで自立可能とし、面実装に対応可能としたものがある。これら従来のチップ形コンデンサは、加熱、加圧を伴うモ−ルド加工をする必要がないため、コンデンサ素子の特性劣化を生じることなく縦型のチップ形コンデンサを形成でき、高い実用性を有する。
【０００３】
【発明が解決しようとする課題】
しかしながら、これら従来の縦型チップ形コンデンサにおいては、図６に示すように、コンデンサ０１を自立可能とするために、絶縁板０２の下面（実装面）に沿って折曲げ配置されるリ−ド端子０３を、潰し加工等により平状として接続電極としており、これら薄肉の平状とされた部分において折曲げ加工が成されていることから、コンデンサ０１に振動が加わると、その負荷がリード端子０３の折曲げ加工された部分に集中し、該折曲げ部が破断して動作不能となってしまうという問題があった。
【０００４】
本発明は、このような問題点に着目してなされたもので、コンデンサ本体に振動が加わっても、この振動によるリード端子と接続端子との破断を防止することのできるチップ形コンデンサを提供することを目的とする。
【０００５】
【課題を解決するための手段】
上記問題を解決するために、本発明のチップ形コンデンサは、コンデンサ素子を有底筒状の外装ケース内に収納して該外装ケ−スの開放端を封口部材により封口するとともに、前記コンデンサ素子より導出されたリード端子が前記封口部材を貫通して成るコンデンサ本体と、前記リード端子と電気的に接続され、かつ実装基板との接続がなされる接続端子をその下面に沿って有し、前記コンデンサ本体の封口端に当接して配置される絶縁板と、から構成されるチップ形コンデンサであって、前記絶縁板には前記封口部材より露出したリード端子を挿通可能な少なくとも１つの挿通孔が設けられ、前記接続端子には前記絶縁板の下面とほぼ平行方向に延びるスリットが設けられ、前記接続端子の少なくとも前記スリットの形成されているスリット部が、接続端子を挿通孔の内方向に折曲げ配置することにより形成されるとともに、前記挿通孔の内壁に沿った接続端子の折曲げ部が該内壁に当接され、前記スリットに前記リード端子が嵌入されて成ることを特徴としている。
この特徴によれば、従来のようなリード端子の折曲げ部がなく、加振時においても、これらリード端子の折曲げ部における破断を防止できるとともに、コンデンサ本体と絶縁板とが一体に固定され、コンデンサ本体を安定的に自立させることができ、しかもスリット部の嵌入方向への移動を規制して、嵌入を容易に行うことができる。
【０００６】
本発明のチップ形コンデンサは、前記スリット部が弾性変形可能な金属板にて形成され、前記スリットの離間幅が前記リード端子の直径よりも幅狭に形成されて成ることが好ましい。
このようにすれば、リード端子がスリットを外方に弾性変形させながら嵌入され、スリットの弾性反発力によりリード端子がより一層強固に挟持されるため、リード端子と接続端子との接続部における信頼性を向上できる。
【０００７】
本発明のチップ形コンデンサは、前記各極の接続端子におけるスリットの開口が、前記絶縁板の下面とほぼ平行方向において互いに対向する位置に形成されていることが好ましい。
このようにすれば、リード端子のスリットへの嵌入時において、各極のリード端子の嵌入方向が互いに反対方向となり、コンデンサ本体の回転等のずれが抑止された状態にてリード端子の嵌入が可能となるため、該嵌入を容易に行うことができる。
【０００９】
本発明のチップ形コンデンサは、前記スリット部とスリットに嵌入されたリード端子とが溶接されて成ることが好ましい。
このようにすれば、スリット部とリード端子とが溶接されることにより、リード端子と接続端子とがより一層強固に固定される。
【００１０】
【発明の実施の形態】
以下、図面に基づいて本発明の実施例を説明する。
【００１１】
（実施例）
図１は本発明の実施例におけるチップ形コンデンサ１を下方から見た外観斜視図、図２は図１のＩ−Ｉ断面図をそれぞれ示す。
【００１２】
本実施例のチップ形コンデンサ１は、図１に示すような外観形状を有しており、内部にコンデンサ素子８を収容するアルミ製外装ケ−ス３の開口部を封口する封口部材４を貫通して導出されたリード端子５を有するコンデンサ本体２と、前記リード端子５が導出されたコンデンサ本体２の封口端面に上面が当接するように配設される絶縁板６と、から主に構成されており、この絶縁板６の下面である実装面６ｆにはインサート成形された接続端子７が形成されている。
【００１３】
本実施例に用いたコンデンサ本体２は、図１、２に示すように、有底円筒状のアルミ製外装ケ−ス３内部にコンデンサ素子８を収納し、その開放端部に封口部材４を挿着した後、外装ケース３における外周側面の下部近傍を加締めることで封口部材４が係止されるようになっている。この封口部材４を貫通するようにリード端子５が設けられており、その端部がコンデンサ素子８より導出されたタブ９に溶接にて接続されている。
【００１４】
コンデンサ素子８には、アルミニウム等の弁金属からなる陽極箔と陰極箔との間にセパレータを介在させて、巻回して形成され、電解液が含浸されたものや、電解質として固体の二酸化マンガン層をアルミニウム等の弁金属からなる陽極箔と陰極箔との間に形成した、固体電解コンデンサ素子等を用いることができる。
【００１５】
絶縁板６は、図１に示すように、所定厚みの電気絶縁性を有する樹脂製とされ、上面視略方形で、かつその隣り合う１組の角に切欠き６ｄが形成されている。
【００１６】
このように、絶縁板６の上面視形状を略方形に形成することは、得られるチップ形コンデンサ１の基板への実装面積を小さくできることから好ましいが、本発明はこれに限定されるものではなく、上面視多角形状のものや上面視円形状としても良く、これら絶縁板６の形状は適宜選択すれば良い。
【００１７】
また、絶縁板６に切欠き６ｄを形成すると、チップ形コンデンサ１を基板へ実装する際に、リード端子５の極性が目視にて容易に判別できることから好ましいが、これら切欠き等を設けずとも良い。
【００１８】
また、本実施例では絶縁板６の材質として、実装時の半田付けにおける加熱に耐え得る耐熱性と電気絶縁性を有する樹脂であるポリフェニレンサルファイド（ＰＰＳ）を使用しているが、本発明はこれに限定されるものではなく、セラミックスやガラス等の無機材質や、これら複数の材質の複合体としても良く、十分な絶縁性を有するものであれば使用することができる。
【００１９】
絶縁板６には、図２、図３に示すように、コンデンサ本体２との当接面から実装面６ｆに貫通し、コンデンサ本体２の両極から導出された各々のリード端子５が接触することなく挿通可能な挿通孔６ｃが形成されている。
【００２０】
絶縁板６の実装面６ｆには、挿通孔６ｃから両側の外側端部にかけて弾性変形可能な金属製の接続端子７がインサート成形により形成されている。
【００２１】
これら接続端子７は、図２に示すように、実装面６ｆと面一となるように露出して実装時に基板に接続されることとなる接続部７ａと、この接続部７ａの一端から挿通孔６ｃの内壁６ｅに当接するように上方に折曲げ成形された折曲げ部７ｃと、この折曲げ部７ｃの先端からさらに挿通孔６ｃ内に突出するように折曲げ成形されたスリット部７ｂとから構成されている。
【００２２】
これら各極の接続端子７に形成されたスリット部７ｂの先端には、図３に示すように、互いにその開口が対向する状態となるようにリード端子５を嵌入可能なスリット７ｄが形成されているとともに、折曲げ部７ｃ側の端部が絶縁板６に担持されるようになっている。
【００２３】
また、スリット７ｄの離間幅は、リード端子５の直径よりも若干幅狭に形成されているとともに、スリット７ｄは、その開口部近傍がテーパ状に拡がるように形成されている。
【００２４】
このように本実施例では、接続端子７が絶縁板６の実装面にインサート成形されており、接続端子７が絶縁板６に一体に固定されていることから好ましいが、本発明はこれに限定されるものではなく、絶縁板６を成形した後に接続端子７を取付けるようにしても良い。
【００２５】
また、折曲げ部７ｃが挿通孔６ｃの内壁６ｅに当接するように形成されており、リード端子５のスリット７ｄへの嵌入時において、折曲げ部７ｃが内壁６ｅに支持されることで、スリット部７ｂの嵌入方向への移動が規制され、嵌入を容易に行うことができることから好ましい。
【００２６】
さらに、スリット部７ｂの折曲げ部７ｃ側の端部は絶縁板６に担持されており、スリット部７ｂの変形が抑止されるため、例えば、リード端子５の嵌入時におけるスリット部７ｂの過度の変形が抑止されることで、リード端子５の嵌入も行い易くなるばかりか、搬送時等において不意な外力が加わっても、スリット部７ｂが不良になることを防止できることから好ましいが、本発明はこれに限定されるものではなく、特にスリット部７ｂが絶縁板６に担持されていなくても良い。
【００２７】
また、スリット部７ｂは、折曲げ部７ｃを介して挿通孔６ｃの内方となる高さ位置に形成されており、リード端子５の先端部がスリット部７ｂから突出していても、この突出している部分が挿通孔６ｃに収容されて絶縁板６の実装面６ｆに突出することがないため、チップ形コンデンサ１を安定的に自立させることができることから好ましいが、本発明はこれに限定されるものではなく、スリット部７ｂが実装面６ｆと面一に形成されていても良い。
【００２８】
また、スリット７ｄは、その開口が互いに対向する状態となるように形成されており、リード端子５の嵌入時において、各極のリード端子５の嵌入方向が互いに反対方向となり、コンデンサ本体２の回転等のずれが抑止された状態にてリード端子５の嵌入が可能となるため、これら嵌入を容易に行うことができることから好ましいが、本発明はこれに限定されるものではなく、リード端子５を実装面６ｆに対しほぼ平行方向に嵌入できれば良く、例えば図５に示すチップ形コンデンサ１”のように、スリット部７ｂ”に形成されたスリット７ｄ”の開口が互いに対向していなくとも良い。
【００２９】
また、スリット７ｄの離間幅は、リード端子５の直径よりも若干幅狭に形成されており、リード端子５を嵌入した際に、スリット７ｄが外方に弾性変形し、その弾性反発力によりリード端子５がより一層強固に挟持されることから好ましいが、本発明はこれに限定されるものではなく、リード端子５がスリット７ｄに、実装面６ｆに対し水平方向に嵌入され、挟持されるようになっていれば良い。
【００３０】
さらに、スリット７ｄの開口部近傍は、テーパ状に拡がるように形成されており、リード端子５を嵌入し易いことから好ましいが、本発明はこれに限定されるものではなく、スリット７ｄの形状は、リード端子５を嵌入可能に形成されていれば良い。
【００３１】
次に、前述のように構成されたコンデンサ本体２と、絶縁板６との組立状況及びリード端子５と接続端子７との接続方法について説明する。
【００３２】
まず、図３の仮想線に示すように、絶縁板６の挿通孔６ｃに、リード端子５を挿通して、コンデンサ本体２の封口端面を絶縁板６に当接するように配置する。
【００３３】
次いで、図３に示すように、各々のリード端子５を互いに反対方向で、かつ実装面６ｆとほぼ平行方向に引っ張り、各々のスリット部７ａのスリット７ｄ内に、このスリット７ｄを外方に弾性変形させるようにして嵌入する。
【００３４】
これにより、リード端子５がスリット７ｄの弾性反発力により強固に挟持され、リード端子５が接続端子７に接続されるとともに、コンデンサ本体２と絶縁板６とが一体に固定される。
【００３５】
最後に、リード端子５の絶縁板６の実装面６ｆから突出している部分を切断し、実装面６ｆが面一状となるようにして、チップ形コンデンサ１が自立可能となるようにする。
【００３６】
以上のように構成された本実施例のチップ形コンデンサ１にあっては、封口部材４より露出した上下方向に延びるリード端子５が、絶縁板６の挿通孔６ｃに挿通され、絶縁板６の実装面６ｆに沿って設けられた、接続端子７のスリット部７ｂに形成されたスリット７ｄに、絶縁板６の実装面６ｆとほぼ平行方向に嵌入され、リード端子５がスリット７ｄに挟持された状態で接続されることで、従来のようなリード端子５の折曲げ部がなく、加振時においてもこれらリード端子５の折曲げ部における破断を防止できる。
【００３７】
また、リード端子５がスリット７ｄに、実装面６ｆに対しほぼ平行方向に嵌入されているため、加振によりリード端子５の位置が多少ずれてもスリット７ｄの内部での移動であれば、リード端子５がスリット部に常に挟持された状態が保たれるので、振動に対する耐性が向上する。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、上記実施例では、１つの挿通孔６ｃにコンデンサ本体２の両極から導出されたリード端子５を挿通しているが、本発明はこれに限定されるものではなく、図４に示すチップ形コンデンサ１’のように、絶縁板６’に一対の挿通孔６ｃ’を形成して、各々にリード端子５を挿通させるようにしても良い。
【００４０】
また、スリット部７ｂは、その先端にスリット７ｄが形成されているが、図４に示す接続端子７’のように、スリット部７ｂ’にリード端子５が挿通可能な挿通孔７ｆを形成し、この挿通孔７ｆ内に形成されたスリット部７ｄ’にリード端子５を嵌入するようにしても良い。
【００４１】
【発明の効果】
本発明は次の効果を奏する。
【００４２】
（ａ）請求項１の発明によれば、従来のようなリード端子の折曲げ部がなく、加振時においても、これらリード端子の折曲げ部における破断を防止できるとともに、コンデンサ本体と絶縁板とが一体に固定され、コンデンサ本体を安定的に自立させることができ、しかもスリット部の嵌入方向への移動を規制して、嵌入を容易に行うことができる。
【００４３】
（ｂ）請求項２の発明によれば、リード端子がスリットを外方に弾性変形させながら嵌入され、スリットの弾性反発力によりリード端子がより一層強固に挟持されるため、リード端子と接続端子との接続部における信頼性を向上できる。
【００４４】
（ｃ）請求項３の発明によれば、リード端子のスリットへの嵌入時において、各極のリード端子の嵌入方向が互いに反対方向となり、コンデンサ本体の回転等のずれが抑止された状態にてリード端子の嵌入が可能となるため、該嵌入を容易に行うことができる。
【００４６】
（ｄ）請求項４の発明によれば、スリット部とリード端子とが溶接されることにより、リード端子と接続端子とがより一層強固に固定される。
【図面の簡単な説明】
【図１】本発明の実施例におけるチップ形コンデンサを下方からみた外観斜視図である。
【図２】図１のチップ形コンデンサのＩ−Ｉ断面図である。
【図３】図１のチップ形コンデンサの下面図である。
【図４】図１のチップ形コンデンサの変形例を示す下面図である。
【図５】図１のチップ形コンデンサの変形例を示す下面図である。
【図６】従来のチップ形コンデンサを示す下方からみた外観斜視図である。
【符号の説明】
１、１’、１”  チップ形コンデンサ
２              コンデンサ本体
３              外装ケース
４              封口部材
５              リード端子
６、６’        絶縁板
６ｃ、６ｃ’    挿通孔
６ｄ            切欠き
６ｅ            内壁
６ｆ            実装面
７、７’、７”  接続端子
７ａ            接続部
７ｂ、７ｂ’、７ｂ”スリット部
７ｃ            折曲げ部
７ｄ、７ｄ’、７ｄ”スリット
７ｆ            挿通孔
８              コンデンサ素子
９              タブ
【図１】
0004385153.tif 000002
【図２】
0004385153.tif 000003
【図３】
0004385153.tif 000004
【図４】
0004385153.tif 000005
【図５】
0004385153.tif 000006
【図６】
0004385153.tif 000007